(57)【要約】【課題】ハウジング本体の傾きを抑制でき、組付作業効率を向上することができる中継用コネクタを提供する。【解決手段】筒状に形成され内部で一対のコネクタ３を嵌合可能なハウジング本体と、このハウジング本体の一端側に配置される固定部材７とを備えた中継用コネクタにおいて、一方のコネクタをハウジング本体に固定させ、他方のコネクタ３を固定部材７に係止部９を介して取り付け、係止部９が、一対のコネクタ３の嵌合方向と直交する平面方向へのハウジング本体の移動を許容する可撓部１１を有し、他方のコネクタ３に収容される端子１３に、一対のコネクタ３の嵌合方向へのハウジング本体の移動を許容するバネ部１５を設けた。【選択図】図６
2015022951.tif 000002
【特許請求の範囲】
【請求項１】
筒状に形成され内部で一対のコネクタを嵌合可能なハウジング本体と、このハウジング本体の一端側に配置される固定部材とを備えた中継用コネクタであって、
前記一対のコネクタのうち一方のコネクタは、前記ハウジング本体に固定され、他方のコネクタは、前記固定部材に係止部を介して取り付けられ、
前記係止部は、前記一対のコネクタの嵌合方向と直交する平面方向への前記ハウジング本体の移動を許容する可撓部を有し、
前記他方のコネクタに収容される端子には、前記一対のコネクタの嵌合方向への前記ハウジング本体の移動を許容するバネ部が設けられていることを特徴とする中継用コネクタ。
【請求項２】
請求項１記載の中継用コネクタであって、
前記固定部材には、前記他方のコネクタの移動を規制する規制部が設けられていることを特徴とする中継用コネクタ。
【発明の詳細な説明】
【技術分野】
【０００１】
本発明は、中継用コネクタに関する。
【背景技術】
【０００２】
従来、中継用コネクタとしては、筒状に形成され内部で一対のコネクタを嵌合可能なハウジング本体としての中継用コネクタ本体と、この中継用コネクタ本体の一端側に配置される固定部材としてのブラケットとを備えたものが知られている（例えば、特許文献１参照）。
【０００３】
この中継用コネクタでは、中継用コネクタ本体がブラケットに係止部としての第１のブラケット受け具及び第２のブラケット受け具を介して取り付けられている。この第１のブラケット受け具及び第２のブラケット受け具は、中継用コネクタ本体をブラケットに対して、前後、左右方向へ揺動可能かつ弾性的に支持すると共に、上下方向へスライド可能状態で取り付けている。
【先行技術文献】
【特許文献】
【０００４】
【特許文献１】特開２００９−２７２２２６号公報
【発明の概要】
【発明が解決しようとする課題】
【０００５】
ところで、上記特許文献１のような中継用コネクタでは、係止部が上下方向、すなわち一対のコネクタの嵌合方向に対して隙間をもって係合されているので、例えば、コネクタに接続された電線に上下方向に沿って引張力が加わっても、この引張力を隙間によって吸収することができ、ハウジング本体が固定部材に対して傾くことがなく、ハウジング本体が固定部材から取り外されることがない。
【０００６】
しかしながら、上記特許文献１のような中継用コネクタでは、係止部がハウジング本体に対するコネクタの挿入方向に対して弾性的に係合していないので、例えば、電線に嵌合方向と交差する方向（斜め方向）に引張力が加わると、この引張力を隙間だけでは吸収することができず、ハウジング本体が固定部材に対して傾き、ハウジング本体が固定部材から取り外される恐れがあった。
【０００７】
このようなハウジング本体の傾きによる固定部材からの取り外しの懸念があると、中継用コネクタの組付作業において、作業者の気遣いが多くなり、組付作業効率が低下する恐れがあった。
【０００８】
そこで、この発明は、ハウジング本体の傾きを抑制でき、組付作業効率を向上することができる中継用コネクタの提供を目的としている。
【課題を解決するための手段】
【０００９】
請求項１記載の発明は、筒状に形成され内部で一対のコネクタを嵌合可能なハウジング本体と、このハウジング本体の一端側に配置される固定部材とを備えた中継用コネクタであって、前記一対のコネクタのうち一方のコネクタは、前記ハウジング本体に固定され、他方のコネクタは、前記固定部材に係止部を介して取り付けられ、前記係止部は、前記一対のコネクタの嵌合方向と直交する平面方向への前記ハウジング本体の移動を許容する可撓部を有し、前記他方のコネクタに収容される端子には、前記一対のコネクタの嵌合方向への前記ハウジング本体の移動を許容するバネ部が設けられていることを特徴とする。
【００１０】
この中継用コネクタでは、他方のコネクタに収容される端子に一対のコネクタの嵌合方向へのハウジング本体の移動を許容するバネ部が設けられているので、ハウジング本体に一対のコネクタの嵌合方向と交差する方向に外力が加わったとしても、バネ部の付勢力によって外力を吸収することができ、ハウジング本体の固定部材に対する傾きを抑制することができる。
【００１１】
このため、ハウジング本体の傾きによる固定部材からの取り外しを防止することができので、中継用コネクタの組付作業において、作業者の気遣いを低減でき、組付作業効率を向上することができる。
【００１２】
従って、このような中継用コネクタでは、端子に設けられたバネ部によってハウジング本体にかかる斜め方向の外力を吸収することができるので、ハウジング本体の傾きを抑制でき、組付作業効率を向上することができる。
【００１３】
請求項２記載の発明は、請求項１記載の中継用コネクタであって、前記固定部材には、前記他方のコネクタの移動を規制する規制部が設けられていることを特徴とする。
【００１４】
この中継用コネクタでは、固定部材に他方のコネクタの移動を規制する規制部が設けられているので、可撓部及びバネ部の撓みより大きな外力がハウジング本体に加わったとしても、規制部によって他方のコネクタを介してハウジング本体の移動を規制することができる。加えて、規制部によって可撓部及びバネ部の撓みを規制することができ、可撓部及びバネ部の耐久性を向上することができる。
【発明の効果】
【００１５】
本発明によれば、ハウジング本体の傾きを抑制でき、組付作業効率を向上することができる中継用コネクタを提供することができるという効果を奏する。
【図面の簡単な説明】
【００１６】
【図１】本発明の実施の形態に係る中継用コネクタの正面図である。
【図２】本発明の実施の形態に係る中継用コネクタのハウジング本体の正面図である。
【図３】本発明の実施の形態に係る中継用コネクタの他方のコネクタの斜視図である。
【図４】本発明の実施の形態に係る中継用コネクタの端子の斜視図である。
【図５】本発明の実施の形態に係る中継用コネクタの固定部材の斜視図である。
【図６】本発明の実施の形態に係る中継用コネクタの他方のコネクタと固定部材と端子とを組付けるときの斜視図である。
【図７】本発明の実施の形態に係る中継用コネクタの他方のコネクタと固定部材とを組付けたときの斜視図である。
【発明を実施するための形態】
【００１７】
図１〜図７を用いて本発明の実施の形態に係る中継用コネクタについて説明する。
【００１８】
本実施の形態に係る中継用コネクタ１は、筒状に形成され内部で一対のコネクタ３（一方のコネクタは不図示）を嵌合可能なハウジング本体５と、このハウジング本体５の一端側に配置される固定部材７とを備えている。
【００１９】
また、一方のコネクタは、ハウジング本体５に固定され、他方のコネクタ３は、固定部材７に係止部９を介して取り付けられる。
【００２０】
さらに、係止部９は、一対のコネクタ３の嵌合方向と直交する平面方向へのハウジング本体５の移動を許容する可撓部１１を有する。
【００２１】
そして、他方のコネクタ３に収容される端子１３には、一対のコネクタ３の嵌合方向へのハウジング本体５の移動を許容するバネ部１５が設けられている。
【００２２】
また、固定部材７には、他方のコネクタ３の移動を規制する規制部１７が設けられている。
【００２３】
図１〜図７に示すように、ハウジング本体５は、合成樹脂などの絶縁性材料からなり、円筒状に形成されている。このハウジング本体５は、両端側の開口１９，２１から内部に向けて一対のコネクタ３（一方のコネクタは不図示）を挿入可能であり、内部に挿入されたコネクタ３同士が嵌合し、電気的に接続される。
【００２４】
一対のコネクタ３のうち一方のコネクタは、合成樹脂などの絶縁性材料からなり、例えば、電源や機器などに電気的に接続された複数の電線を束ねたハーネス（不図示）の端末に設けられている。この一方のコネクタの内部には、ハーネスの端末部に圧着などによって電気的に接続された雄端子からなる複数の相手端子（不図示）が収容されている。
【００２５】
このような一方のコネクタは、ハウジング本体５の他端側の開口２１からハウジング本体５の内部に挿入され、係止手段などによってハウジング本体５の内部に保持され、ハーネスがハウジング本体５の他端側の開口２１から引き出される。このハウジング本体５に保持された一方のコネクタには、図１の矢印で示すように、ハウジング本体５を固定部材７側に向けて組付けることにより、他方のコネクタ３が嵌合される。
【００２６】
他方のコネクタ３は、合成樹脂などの絶縁性材料からなり、回路や電子部品などが搭載されたＰＣＢ基板２３上に固定部材７を介して配置される。この他方のコネクタ３の内部には、一対のコネクタ３の嵌合により、一方のコネクタに収容された相手端子に接続される雌端子からなる複数（ここでは１つのみを図示）の端子１３が収容されている。
【００２７】
端子１３は、一端側に固定部材７に設けられた孔部を挿通しＰＣＢ基板２３の回路に電気的に接続される基板接続部２５が設けられ、他端側に他方のコネクタ３内に収容され相手端子の接続部が挿入され相手端子に電気的に接続される箱状の端子接続部２７が設けられている。この端子１３の端子接続部２７を収容する他方のコネクタ３は、係止部９を介してハウジング本体５の一端側に配置された固定部材７に取り付けられる。
【００２８】
固定部材７は、合成樹脂などの絶縁性材料からなり、筐体状に形成され、内部に他方のコネクタ３の一端側と端子１３の基板接続部２５及びバネ部１５を収容可能な収容部２９が設けられている。また、収容部２９の外周面には、複数の固定部３１が形成され、固定部３１を介して固定部材７がＰＣＢ基板２３上に固定される。この固定部材７と他方のコネクタ３との間には、他方のコネクタ３を固定部材７に保持させる係止部９が設けられている。
【００２９】
係止部９は、他方のコネクタ３の両側面にそれぞれ撓み可能に設けられた可撓アームからなる可撓部１１と、この可撓部１１の自由端に設けられた爪部３３と、固定部材７の収容部２９の両側壁にそれぞれ設けられ爪部３３が係止される窓部３５とを備えている。
【００３０】
この係止部９は、他方のコネクタ３を固定部材７の収容部２９内に挿入することにより、爪部３３が窓部３５に係止され、他方のコネクタ３を固定部材７に保持させる。この係止部９による係止状態では、可撓部１１の撓みにより、他方のコネクタ３が固定部材７に対して一対のコネクタ３の嵌合方向と直交する平面方向への移動が可能となり、一対のコネクタ３の嵌合方向と直交する平面方向に調芯機能をもたせることができる。
【００３１】
一方、他方のコネクタ３に収容される端子１３には、基板接続部２５と端子接続部２７との間にバネ部１５が設けられている。バネ部１５は、所定の付勢力を有するように折り曲げ形成されている。このバネ部１５は、一対のコネクタ３の嵌合方向への伸縮により、他方のコネクタ３が固定部材７に対して一対のコネクタ３の嵌合方向への移動が可能となり、一対のコネクタ３の嵌合方向に調芯機能をもたせることができる。
【００３２】
このようなバネ部１５により、ハウジング本体５が固定部材７に組付けられた状態で、例えば、ハウジング本体５の他端側の開口２１から引き出されたハーネスに一対のコネクタ３の嵌合方向と交差する斜め方向に引張力が加わったとしても、バネ部１５の付勢力によって引張力を吸収することができ、ハウジング本体５の固定部材７に対する傾きを抑制することができる。
【００３３】
ここで、固定部材７の収容部２９内には、規制部１７が設けられている。規制部１７は、他方のコネクタ３の一端側が収容部２９に収容された状態で、他方のコネクタ３の端面と隙間をもって対向される当て面３７を有する。この当て面３７は、ハウジング本体５を固定部材７に組付け、端子１３のバネ部１５が撓んだ（付勢力に抗して収縮した）際に、他方のコネクタ３の端面と当接し、バネ部１５の撓み量を制限する。
【００３４】
この規制部１７によるバネ部１５の撓み量の制限により、ハウジング本体５の固定部材７に対する大きな沈み込みを抑制することができる。加えて、規制部１７によってバネ部１５の撓み量を制限することにより、バネ部１５の永久変形を防止することができ、バネ部１５の耐久性を向上することができる。
【００３５】
なお、固定部材７の収容部２９内に設けられた規制部１７としては、他方のコネクタ３の一端側が収容部２９に収容された状態で、他方のコネクタ３の側面と隙間をもって対向される内壁面を規制部１７としてもよい。この規制部１７としての内壁面は、ハウジング本体５を固定部材７に組付け、係止部９の可撓部１１が撓んだ際に、他方のコネクタ３の側面と当接し、可撓部１１の撓み量を制限する。
【００３６】
この規制部１７としての内壁面による可撓部１１の撓み量の制限により、ハウジング本体５の固定部材７に対する一対のコネクタ３の嵌合方向と直交する平面方向への大きな移動を抑制することができる。加えて、規制部１７としての内壁面によって可撓部１１の撓み量を制限することにより、可撓部１１の過剰な変形による破損を防止することができ、可撓部１１の耐久性を向上することができる。
【００３７】
このように構成された中継用コネクタ１の組付けは、まず、一方のコネクタをハウジング本体５の他端側の開口２１から収容し、ハウジング本体５内に一方のコネクタを保持させる。次に、固定部材７の収容部２９内に端子１３及び他方のコネクタ３の一端側を収容し、係止部９を介して固定部材７に他方のコネクタ３を保持させる。次に、固定部材７を固定部３１を介してＰＣＢ基板２３上に固定する。
【００３８】
そして、ＰＣＢ基板２３上に固定された固定部材７に対してハウジング本体５を組付け、ハウジング本体５の一端側の開口１９から他方のコネクタ３を挿入し、一対のコネクタ３を嵌合させ、相手端子と端子１３とを電気的に接続させる。このとき、中継用コネクタ１では、可撓部１１とバネ部１５とによって全ての方向に対して調芯機能を有するので、相手端子と端子１３とが調芯されながら接続される。
【００３９】
このような中継用コネクタ１では、他方のコネクタ３に収容される端子１３に一対のコネクタ３の嵌合方向へのハウジング本体５の移動を許容するバネ部１５が設けられているので、ハウジング本体５に一対のコネクタ３の嵌合方向と交差する方向に外力が加わったとしても、バネ部１５の付勢力によって外力を吸収することができ、ハウジング本体５の固定部材７に対する傾きを抑制することができる。
【００４０】
このため、ハウジング本体５の傾きによる固定部材７からの取り外しを防止することができので、中継用コネクタ１の組付作業において、作業者の気遣いを低減でき、組付作業効率を向上することができる。
【００４１】
従って、このような中継用コネクタ１では、端子１３に設けられたバネ部１５によってハウジング本体５にかかる斜め方向の外力を吸収することができるので、ハウジング本体５の傾きを抑制でき、組付作業効率を向上することができる。
【００４２】
また、固定部材７には、他方のコネクタ３の移動を規制する規制部１７が設けられているので、可撓部１１及びバネ部１５の撓みより大きな外力がハウジング本体５に加わったとしても、規制部１７によって他方のコネクタ３を介してハウジング本体５の移動を規制することができる。加えて、規制部１７によって可撓部１１及びバネ部１５の撓みを規制することができ、可撓部１１及びバネ部１５の耐久性を向上することができる。
【００４３】
なお、本発明の実施の形態に係る中継用コネクタでは、他方のコネクタと固定部材との間に設けられた係止部が可撓部を有し、他方のコネクタに収容される端子にバネ部が設けられているが、本発明における技術的思想はこの構成に限られるものではない。
【００４４】
例えば、一方のコネクタとハウジング本体との間に設けられた係止部が可撓部を有し、一方のコネクタに収容される端子にバネ部を設ける、或いは他方のコネクタに収容される端子にバネ部を設けるなどという構成は、本発明の技術的思想に含まれるものである。
【００４５】
また、本発明の実施の形態に係る中継用コネクタでは、一方のコネクタに収容される端子が雄端子であり、他方のコネクタに収容される端子が雌端子となっているが、これに限らず、端子の雌雄関係は逆でもよく、互いに電気的に接続できる構成であればどのような形態であってもよい。
【符号の説明】
【００４６】
１…中継用コネクタ
３…コネクタ
５…ハウジング本体
７…固定部材
９…係止部
１１…可撓部
１３…端子
１５…バネ部
１７…規制部
【図１】
2015022951.tif 000003
【図２】
2015022951.tif 000004
【図３】
2015022951.tif 000005
【図４】
2015022951.tif 000006
【図５】
2015022951.tif 000007
【図６】
2015022951.tif 000008
【図７】
2015022951.tif 000009